(57)【特許請求の範囲】
【請求項１】
自機の正式ベンダーＩＤ及び１以上の登録ベンダーＩＤ、並びに前記正式ベンダーＩＤ及び前記登録ベンダーＩＤの夫々に対応付けられたベンダーコマンドを含むベンダーテーブルを記憶する記憶手段と、
映像、音声、及びベンダーコマンドを伝達するために相手機器と接続する接続手段と、
前記接続手段を介して接続された前記相手機器のベンダーＩＤを検出する検出手段と、
前記ベンダーテーブルに含まれた前記正式ベンダーＩＤ及び前記登録ベンダーＩＤと前記相手機器のベンダーＩＤとを比較し、前記自機の正式ベンダーＩＤと前記相手機器のベンダーＩＤとが同一の場合、前記自機の正式ベンダーＩＤを前記相手機器へ送信し、前記自機の正式ベンダーＩＤと前記相手機器のベンダーＩＤとが異なり且つ前記１以上の登録ベンダーＩＤのいずれかと前記相手機器のベンダーＩＤとが同一の場合、該同一の登録ベンダーＩＤを前記相手機器へ送信し、前記自機の正式ベンダーＩＤと前記相手機器のベンダーＩＤとが異なり且つ前記１以上の登録ベンダーＩＤのいずれとも前記相手機器のベンダーＩＤが一致しない場合、前記自機の正式ベンダーＩＤを前記相手機器へ送信するベンダーＩＤ制御手段と、
前記ベンダーテーブルを参照し、前記相手機器のベンダーＩＤに基づき、前記接続手段を介して入力される前記相手機器からのベンダーコマンドを解釈し動作を制御する動作制御手段と、
を備えた情報再生装置。
【請求項２】
前記動作制御手段は、前記相手機器のベンダーＩＤと該同一の登録ベンダーＩＤを前記相手機器へ送信した場合に、前記ベンダーテーブルに含まれた前記相手機器のベンダーＩＤと該同一の前記登録ベンダーＩＤに対応付けられたベンダーコマンドを参照し、前記接続手段を介して入力される前記相手機器からのベンダーコマンドを解釈し動作を制御する、請求項１に記載の情報再生装置。
【請求項３】
前記相手機器のベンダーＩＤを登録する登録手段を備えた請求項１に記載の情報再生装置。
【請求項４】
前記登録手段は、前記接続手段を介して前記相手機器より入力される前記相手機器のベンダーＩＤを登録する、請求項３に記載の情報再生装置。
【請求項５】
通信回線を介してネットワークサーバと接続するネットワーク接続手段を備え、
前記登録手段は、前記ネットワーク接続手段を介して入力される前記相手機器のベンダーＩＤを登録する、請求項３に記載の情報再生装置。
【請求項６】
映像、音声、及びベンダーコマンドを伝達するために相手機器と接続する接続部を介して接続された前記相手機器のベンダーＩＤを検出し、
自機の正式ベンダーＩＤ及び１以上の登録ベンダーＩＤ、並びに前記正式ベンダーＩＤ及び前記登録ベンダーＩＤの夫々に対応付けられたベンダーコマンドを含むベンダーテーブル内の前記自機の正式ベンダーＩＤ及び前記登録ベンダーＩＤと前記相手機器のベンダーＩＤとを比較し、前記自機の正式ベンダーＩＤと前記相手機器のベンダーＩＤとが同一の場合、前記自機の正式ベンダーＩＤを前記相手機器へ送信し、前記自機の正式ベンダーＩＤと前記相手機器のベンダーＩＤとが異なり且つ前記１以上の登録ベンダーＩＤのいずれかと前記相手機器のベンダーＩＤとが同一の場合、該同一の登録ベンダーＩＤを前記相手機器へ送信し、前記自機の正式ベンダーＩＤと前記相手機器のベンダーＩＤとが異なり且つ前記１以上の登録ベンダーＩＤのいずれとも前記相手機器のベンダーＩＤが一致しない場合、前記自機の正式ベンダーＩＤを前記相手機器へ送信し、
前記ベンダーテーブルを参照し、前記相手機器のベンダーＩＤに基づき、前記接続部を介して入力される前記相手機器からのベンダーコマンドを解釈し動作を制御する情報再生方法。
【発明の詳細な説明】
【技術分野】
【０００１】
本発明は、ベンダーＩＤに基づく映像機器等の制御技術に関する。
【背景技術】
【０００２】
近年、HDMI（High Definition Multimedia Interface）（登録商標）を搭載したデジタル機器、例えばTV、DVD プレーヤー、HD DVD プレーヤー、HD DVD レコーダー、AV アンプが普及している。HDMIは、映像、音声を非圧縮で転送することができる。また、HDMI-CEC（Consumer Electronics Control）機能により、TV リモコンを使用して、TVに接続された映像機器をそれぞれ操作することができる。
【０００３】
上記したHDMI-CEC機能としては、HDMI Versionにより変動しているが、現在、One touch play、System Standby、Remocon Path through機能などが挙げられる。HDMI-CECのマンダトリー機能は、HDMI CEC準拠と謳った機器同士を接続すると動作するが、オプション機能やベンダー固有機能については、動作する組み合わせや、動作しない組み合わせが生じる。
【０００４】
このようなHDMI搭載機器に関して様々な提案がなされている。表示装置側では、表示装置に接続されている全ての映像機器からメーカーコード及び機器コードを読み出して接続機器一覧テーブルを作成し、ユーザがリモコン操作を表示装置に向けて行ったときに、リモコンから発せられるリモコンコードを受信し、そのリモコンコードに含まれるメーカーコード及び機器コードと一致するものを上記接続機器一覧テーブルでサーチし、メーカーコード及び機器コードが一致する映像機器が接続されている受信インタフェースと表示装置とを接続するようセレクタを切り替え、映像機器から転送されているAVデータを表示装置で表示、再生する技術が提案されている（特許文献１参照）。
【特許文献１】特開２００４−２０８２９０
【発明の開示】
【発明が解決しようとする課題】
【０００５】
上記技術によれば、表示装置が表示装置に接続される複数の映像機器の接続機器情報を保有する。つまり、表示装置がリモコン操作を受け付け、表示装置に接続された録画再生装置等の映像機器からのAVデータの再生等を制御する。従って、映像機器側に主導権はなく、表示装置側で除外されてしまった映像機器は表示装置による制御を受けることができない。つまり、同一メーカーの表示装置と映像機器とが接続された場合に表示装置が映像機器を制御するように限定されてしまうと、表示装置と異なるメーカーの映像機器は（つまり表示装置のベンダーＩＤと映像機器のベンダーＩＤが異なる場合）、表示装置によるベンダーコードに対応した制御を受けることができない。即ち、ベンダー固有機能については、動作する組み合わせや、動作しない組み合わせが生じてしまう。
【０００６】
本発明の目的は、HDMI-CEC機能による表示装置のベンダーＩＤに対応したベンダーコマンドにより、表示装置と異なるベンダーＩＤの映像機器を制御可能にする技術を提供することにある。
【課題を解決するための手段】
【０００７】
この発明の一実施形態に係る情報再生装置は、自機の正式ベンダーＩＤ及び１以上の登録ベンダーＩＤ、並びに前記正式ベンダーＩＤ及び前記登録ベンダーＩＤの夫々に対応付けられたベンダーコマンドを含むベンダーテーブルを記憶する記憶手段と、映像、音声、及びベンダーコマンドを伝達するために相手機器と接続する接続手段と、前記接続手段を介して接続された前記相手機器のベンダーＩＤを検出する検出手段と、前記ベンダーテーブルに含まれた前記正式ベンダーＩＤ及び前記登録ベンダーＩＤと前記相手機器のベンダーＩＤとを比較し、前記自機の正式ベンダーＩＤ及び前記登録ベンダーＩＤから選択される自機の暫定ベンダーＩＤのいずれか一方を前記相手機器へ送信するベンダーＩＤ制御手段と、前記ベンダーテーブルを参照し、前記相手機器のベンダーＩＤに基づき、前記接続手段を介して入力される前記相手機器からのベンダーコマンドを解釈し動作を制御する動作制御手段とを備える。
【０００８】
この発明の一実施形態に係る情報再生方法は、映像、音声、及びベンダーコマンドを伝達するために相手機器と接続する接続部を介して接続された前記相手機器のベンダーＩＤを検出し、自機の正式ベンダーＩＤ及び１以上の登録ベンダーＩＤ、並びに前記正式ベンダーＩＤ及び前記登録ベンダーＩＤの夫々に対応付けられたベンダーコマンドを含むベンダーテーブル内の前記自機の正式ベンダーＩＤ及び前記登録ベンダーＩＤと前記相手機器のベンダーＩＤとを比較し、前記自機の正式ベンダーＩＤ及び前記登録ベンダーＩＤから選択される自機の暫定ベンダーＩＤのいずれか一方を前記相手機器へ送信し、前記ベンダーテーブルを参照し、前記相手機器のベンダーＩＤに基づき、前記接続部を介して入力される前記相手機器からのベンダーコマンドを解釈し動作を制御する。
【発明の効果】
【０００９】
本発明によれば、HDMI-CEC機能による表示装置のベンダーＩＤに対応したベンダーコードにより、表示装置と異なるベンダーＩＤの映像機器を制御可能にする技術を提供できる。
【発明を実施するための最良の形態】
【００１０】
以下、図面を参照し、本発明の実施形態について説明する。
【００１１】
複数のHDMI機器がHDMIケーブルにて接続されており、これらHDMI機器がHDMI-CEC機能を有する場合、まず準備として、各機種のHDMI-CECに対応動作を設定する必要が有る場合、HDMI-CECに対応動作を有効に設定する必要が有る。
【００１２】
図１は、HDMI接続の一例を示すブロック図である。図１に示すように、TV モニター１は、HDMI端子１１及びHDMI端子１２を備える。TV モニター１のHDMI端子１１にAVアンプ２が接続され、TV モニター１のHDMI端子１２にHD DVD プレーヤー３が接続されている。更に、AVアンプ２のHDMI端子２１にはHD DVD レコーダー４が接続されている。
【００１３】
図２は、HD DVD プレーヤー３又は４等の情報再生装置の一例を示す図である。図２に示すように、情報再生装置は、ユーザ操作入力部３１、ＣＰＵ部３２、記憶部３３、ディスクドライブ部３４、信号処理部３５、ＨＤＭＩ３６、ネットワークＩ／Ｆ３７を備えている。
【００１４】
さらに、ＣＰＵ部３２は、ベンダーＩＤ受信部３２１、ベンダーＩＤ検出部３２２、ベンダーＩＤ判別部３２３、自機ベンダーＩＤ切り替え部３２４、ベンダーＩＤ送信部３２５、ベンダーＩＤ登録部３２６を備えている。
【００１５】
ユーザ操作入力部３１は、ＣＰＵ部３２に対してユーザ操作を入力する。例えば、後述するベンダーＩＤの登録時に必要な情報をＣＰＵ部３２に入力する。記憶部３３は、自機の正式ベンダーＩＤ及び登録ベンダーＩＤ（ベンダーＩＤテーブル）を記憶する記憶手段として機能する。ＨＤＭＩ３６は、映像、音声、及びベンダーコマンドを伝達するために相手機器と接続する接続手段として機能する。ＣＰＵ部３２は、ＨＤＭＩ３６を介して接続された相手機器のベンダーＩＤを検出し、登録された登録ベンダーＩＤ及び検出された相手機器のベンダーＩＤに基づき、登録された自機の正式ベンダーＩＤ及び登録ベンダーＩＤから選択される自機の暫定ベンダーＩＤのいずれか一方を相手機器へ送信するベンダーＩＤ制御手段として機能する。情報再生装置によるベンダーＩＤ制御の詳細は、後に詳しく説明する。ディスクドライブ部３４は、ＤＶＤなどのディスクから情報を読み出したり、ＤＶＤなどのディスクに対して情報を記録したりする。信号処理部３５は、ディスクドライブ部３４により読み出された情報を復号化しＨＤＭＩ３６へ転送したり、ＨＤＭＩ３６を介して入力される情報を符号化しディスクドライブ部３４へ転送したりする。
【００１６】
図３は、記憶部３３が記憶するベンダーテーブルの一例を示す図である。図３に示すように、ベンダーテーブルは、自機の正式ベンダーＩＤ、複数の登録ベンダーＩＤ＿Ａ、登録ベンダーＩＤ＿Ｂ、登録ベンダーＩＤ＿Ｃを含む。さらに、これら正式ベンダーＩＤ、登録ベンダーＩＤ＿Ａ、登録ベンダーＩＤ＿Ｂ、登録ベンダーＩＤ＿Ｃの夫々に対応付けられたベンダーコマンド（play,FF,REW,REC,↑,→,←,↓,…）が記憶される。
【００１７】
図４は、HDMI接続時の動作を示す図である。
【００１８】
（１）以下のタイミングで、<Polling Message>により論理アドレス”(TV)”が取得されていないことを確認する。
【００１９】
（１−１）電源OFF(電源未供給)→スタンバイ(サブマイコン通電)のタイミング
（１−２）スタンバイ→電源ON(メインマイコン通電)のタイミング
（１−３）+5V Power通電検知のタイミング(HDMI出力が２系統あるアンプに、後から接続された場合を想定)
（２）論理アドレス0(TV)が使用中の場合、論理アドレス(Free Use)の取得を行い、論理アドレス(Free Use)も取得できなければ、論理アドレス(Unregistered)で動作する。
【００２０】
（３）論理アドレスが取得できた場合(論理アドレス(Unregistered)以外の場合)、<Report Physical Address>および<Device Vendor ID>をブロードキャスト送信し、物理アドレスおよびデバイスタイプ、ベンダーIDを通知する。
【００２１】
（４）セット起動時にCECデバイスの探索を行い、発見した各デバイスに対してデバイス識別を行う。
【００２２】
図５は、図２に示す情報再生装置によるベンダーＩＤの取得から返信までの動作の一例を示すフローチャートである。
【００２３】
図５に示すように、スタンバイ時や電源ON時その他適宜必要なタイミングで、TV モニター１側から、ベンダーＩＤが送られてくる。情報再生装置のベンダーＩＤ受信部３２１は、TV モニター１側から送られてくるベンダーＩＤ（相手機器のベンダーＩＤ）を受信する（ＳＴ１）。情報再生装置のベンダーＩＤ検出部３２２は、記憶部３３に記憶された登録ベンダーＩＤと相手機器のベンダーＩＤとを比較し、情報再生装置のベンダーＩＤ判別部３２３は、どのベンダーＩＤのTV モニター１と接続されているかを判断する。その上で、ベンダーＩＤ送信部３２５は、記憶部３３に記憶された自機の正式ベンダーＩＤ及び登録ベンダーＩＤから選択される自機の暫定ベンダーＩＤのいずれか一方をTV モニター１へ送信する。その詳細は、以下の通りである。
【００２４】
記憶部３３に記憶された自機の正式ベンダーＩＤと相手機器のベンダーＩＤとが同一の場合（ＳＴ２、ＹＥＳ）、ベンダーＩＤ送信部３２５は、TV モニター１からの機器認証コマンドに応答して、自機の正式ベンダーＩＤを送信する（ＳＴ３）。
【００２５】
記憶部３３に記憶された自機の正式ベンダーＩＤと相手機器のベンダーＩＤとが異なり（ＳＴ２、ＮＯ）、且つ記憶部３３に記憶された登録ベンダーＩＤに相手機器のベンダーＩＤが一致する場合（ＳＴ４、ＹＥＳ）、ベンダーＩＤ切り替え部３２４は、自機のベンダーＩＤを、正式ベンダーＩＤから一致したベンダーＩＤ（即ち相手機器のベンダーＩＤと同一のベンダーＩＤ）へ切り替える。ベンダーＩＤ送信部３２５は、TV モニター１からの機器認証コマンドに応答して、一致したベンダーＩＤ（即ち相手機器のベンダーＩＤと同一のベンダーＩＤ）を自機の暫定ベンダーＩＤとして送信する（ＳＴ５）。なお、TV モニター１は、送信される暫定ベンダーＩＤを、正式ベンダーＩＤとして受信する。TV モニター１側では、正式ベンダーＩＤと暫定ベンダーＩＤは区別できない。
【００２６】
記憶部３３に記憶された自機の正式ベンダーＩＤと相手機器のベンダーＩＤとが異なり（ＳＴ２、ＮＯ）、且つ記憶部３３に記憶された登録ベンダーＩＤに相手機器のベンダーＩＤが一致しない場合（ＳＴ４、ＮＯ）、ベンダーＩＤ送信部３２５は、TV モニター１からの機器認証コマンドに応答して、自機の正式ベンダーＩＤを送信する（ＳＴ６）。
【００２７】
つまり、情報再生装置は、記憶部３３に記憶されたベンダーＩＤと同一のベンダーＩＤのTV モニター１に対して、TV モニター１のベンダーＩＤと同一のベンダーＩＤを返信する。即ち、情報再生装置は、TV モニター１と同じベンダーの製品に成りすます。見方を変えると、TV モニター１は、情報再生装置を同じベンダーの製品として認識する。其の為、TV モニター１側のリモコンから送られてきたベンダーコマンドにより、情報再生装置を動作させることが出来る。
【００２８】
例えば、情報再生装置が、TV モニター１から送信されてきたベンダーＩＤが、登録ベンダーＩＤ＿Ｂ（図３参照）に一致する場合、情報再生装置は、一致した登録ベンダーＩＤ＿Ｂ（即ち相手機器のベンダーＩＤと同一のベンダーＩＤ）を自機の暫定ベンダーＩＤとして送信する。また、情報再生装置のＣＰＵ部３２は、前記ベンダーテーブルを参照し（登録ベンダーＩＤ＿Ｂに対応付けられたベンダーコマンド）、前記相手機器のベンダーＩＤ（＝登録ベンダーＩＤ＿Ｂ）に基づき、ＨＤＭＩ３６を介してTV モニター１側から送信されてきた相手機器からのベンダーコマンドを解釈し動作（play,FF,REW,REC,↑,→,←,↓,…）を制御する。
【００２９】
次に、ベンダーＩＤの登録について説明する。ベンダーＩＤ登録部３２６が、ベンダーＩＤを登録し、記憶部３３が、ベンダーＩＤ登録部３２６により登録されるベンダーＩＤを記憶する。
【００３０】
例えば、初期設定時に、情報再生装置のベンダーＩＤ登録部３２６は、ベンダーＩＤ登録画面（例えばOSD(オンスクリーンディスプレイ)画面）をTV モニター１に表示する。情報再生装置のベンダーＩＤ登録部３２６は、ユーザ操作入力部３１を介してベンダーＩＤ登録画面から入力される、接続相手のTV モニター１のベンダーＩＤを登録する。登録後は、情報再生装置は、上記したように、登録されたベンダーＩＤを自機のベンダーＩＤであるかのごとく、接続相手のTV モニター１へ返信することができる。
【００３１】
或いは、情報再生装置のベンダーＩＤ登録部３２６は、HDMI−CEC経由で、接続相手のTV モニター１から送信されてくるベンダーＩＤ及びベンダーＩＤに対応したベンダーコマンドを、登録することができる。この場合、情報再生装置のベンダーＩＤ登録部３２６は、ベンダーＩＤ登録画面をTV モニター１に表示し、接続相手のTV モニター１から送信されたベンダーＩＤ及びベンダーＩＤに対応したベンダーコマンドの登録可否をユーザに確認した上で、ベンダーＩＤ及びベンダーＩＤに対応したベンダーコマンドを登録する。登録後は、情報再生装置は、上記したように、登録されたベンダーＩＤを自機のベンダーＩＤであるかのごとく、接続相手のTV モニター１へ返信することができる。
【００３２】
また、異なるベンダーＩＤの情報再生装置とTV モニター１とが接続されている場合に、情報再生装置が、TV モニター１からのベンダーコマンドを受信した場合に、TV モニター１からの「TV モニター１のベンダーコマンドをサポートしているか？」の確認に対して、TV モニター１のベンダーＩＤが登録済みベンダーＩＤであれば、TV モニター１に対して「サポートしている」を返信してから、TV モニター１から送信されるベンダーコマンドに対応するようにしてもよい。
【００３３】
なお、上記説明では、HDMI−CEC機能を例に挙げて本実施形態について説明したが、ベンダーコマンドを送る経路は、LAN経由でも、ブルートゥース（登録商標）経由でも、USB接続でも良い。
【００３４】
また、上記説明では、情報再生装置が、TV モニター１のベンダーＩＤに合わせて、TV モニター１のベンダーＩＤと同一の登録ベンダーＩＤを返信するケースについて説明した。つまり、情報再生装置が、TV モニター１と同じベンダーの製品に成りすますケースについて説明したが、本実施形態はこれだけに限定されるものではない。例えば、TV モニター１からの「ベンダーＩＤに対応しているか？」の問いかけに対して、情報再生装置が「対応している」を返信するだけで、実際には情報再生装置のベンダーＩＤとTV モニター１のベンダーＩＤが異なっていても、TV モニター１が情報再生装置に対してベンダーコマンドを送信するようにしてもよい。
【００３５】
また、情報再生装置のネットワークＩ／Ｆ３７が、ベンダーＩＤ及びこのベンダーＩＤに対応するベンダーコマンドを取得し、記憶部３３に登録するようにしてもよい。つまり、ネットワークＩ／Ｆ３７が、相手機器のベンダーのネットワークサーバに接続し、ネットワークサーバから相手機器のベンダーＩＤ及びこのベンダーＩＤに対応するベンダーコマンドを取得するようにしてもよい。これにより、情報再生装置は、常時、多くのベンダーＩＤ及びベンダーコマンドを記憶する必要がなくなる。場合によっては、情報再生装置は、相手機器のベンダーＩＤ及びベンダーコマンドだけを記憶し、接続が解消されれば記憶した相手機器のベンダーＩＤ及びベンダーコマンドを削除するようにしてもよい。これにより、情報再生装置の記憶資源を有効活用することができ、また、新規機器への対応性にも優れる。
【００３６】
従来、TVと接続されている情報再生装置が、TVのベンダーＩＤと異なるベンダーＩＤである場合、TVと接続されている情報再生装置をTVのベンダーＩＤに対応付けられたベンダーコマンドにより制御することができなかった。また、接続されているTVと情報再生装置のベンダーＩＤが異なることを条件に、情報再生装置の動作が制限されてしまうこともあった。
【００３７】
本実施形態により、TVと接続されている情報再生装置が、TVのベンダーＩＤと異なるベンダーＩＤであっても、TVのベンダーＩＤと同一のベンダーＩＤを返信することにより、TVのベンダーＩＤと同一のベンダーＩＤを持つ機器と同様に、TVのリモコンだけでTVと接続されている情報再生装置を動作させることが出来る。つまり、情報再生装置が、TVのベンダーＩＤに対応したベンダーコマンドを解釈し動作することができる。
【００３８】
更に、情報再生装置が、接続相手のベンダーＩＤを学習することにより、予め登録されたベンダーＩＤ以外の接続機器にも対応できる。
【００３９】
HDMI規格のVersionの中でHDMI-CEC部分について記述されている。しかし、ベンダーＩＤに対応するベンダーコマンドは、各社の仕様に任されている。従来、TVモニターやプロジェクターの製造会社と異なる製造会社のプレーヤーやレコーダーが接続された場合、HDMI-CECのベンダーコマンドについては対応できないという不自由さがあった。本実施形態によれば、この不自由さを解消し、各社ベンダーの異なるモニターとプレーヤーを接続してもHDMI-CECでベンダーコマンドにまで対応して動作させることが出来る。
【００４０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４１】
【図１】HDMI接続の一例を示すブロック図である。
【図２】情報再生装置の一例を示す図である。
【図３】登録ベンダーＩＤの一例を示す図である。
【図４】HDMI接続時の動作を示す図である。
【図５】図２に示す情報再生装置によるベンダーＩＤの取得から返信までの動作の一例を示すフローチャートである。
【符号の説明】
【００４２】
１…TV モニター、２…AVアンプ、３…HD DVD プレーヤー、４…HD DVD レコーダー、１１…HDMI端子、１２…HDMI端子、２１…HDMI端子、３１…ユーザ操作入力部、３２…ＣＰＵ部、３３…記憶部、３４…ディスクドライブ部、３５…信号処理部、３６…ＨＤＭＩ、３７…ネットワークＩ／Ｆ
【図１】
0004334590.tif 000002
【図２】
0004334590.tif 000003
【図３】
0004334590.tif 000004
【図４】
0004334590.tif 000005
【図５】
0004334590.tif 000006